(57)【特許請求の範囲】
【請求項１】
共有のスケジューリング要求（ＳＲ）リソースを利用する方法であって、
スケジューリング要求（ＳＲ）を送信することに関連付けられたコンテンション・ベースのグループ識別子を、共有のＳＲリソースで受信することと、
前記コンテンション・ベースのグループ識別子に関連付けられた共有のＳＲリソースを、イボルブド・ノードＢ（ｅＮＢ）から受信することと、
前記共有のＳＲリソースで前記ＳＲを送信することと、
前記ＳＲを送信することに関連する衝突を検出することと、
前記衝突を検出することに少なくとも部分的に基づいて、別のサブフレームにおける別の共有のＳＲリソースで、前記ＳＲを再送信することと、を備える方法。
【請求項２】
前記ＳＲに少なくとも部分的に基づいて前記ｅＮＢからアップリンク許可を受信すること、をさらに備える請求項１に記載の方法。
【請求項３】
前記アップリンク許可は、前記コンテンション・ベースのグループ識別子に関連付けられている、請求項２に記載の方法。
【請求項４】
前記共有のＳＲリソースは、コンテンション・ベースのＳＲを可能にする、請求項１に記載の方法。
【請求項５】
前記衝突を検出することに少なくとも部分的に基づいて、禁止タイマを設定することと、
前記禁止タイマにしたがって、前記再送信するための別のサブフレームにおける別の共有のＳＲリソースを選択することと、をさらに備える請求項１に記載の方法。
【請求項６】
前記禁止タイマを設定するための値を、前記ｅＮＢから受信すること、をさらに備える請求項５に記載の方法。
【請求項７】
前記衝突を検出することは、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信すること、のうちの少なくとも１つを含む、請求項１に記載の方法。
【請求項８】
前記コンテンション・ベースのグループ識別子を受信することは、複数のＵＥに関連付けられた前記コンテンション・ベースのグループ識別子を受信することを備える、請求項１に記載の方法。
【請求項９】
前記複数のＵＥは、類似のチャネル条件またはサービス品質要件を有する、請求項８に記載の方法。
【請求項１０】
共有のスケジューリング要求（ＳＲ）リソースを利用する装置であって、
スケジューリング要求（ＳＲ）を送信することに関連付けられたコンテンション・ベースのグループ識別子を、共有のＳＲリソースで取得し、
前記コンテンション・ベースのグループ識別子に関連付けられた共有のＳＲリソースを、イボルブド・ノードＢ（ｅＮＢ）から取得し、
前記共有のＳＲリソースで前記ＳＲを送信し、
前記ＳＲを送信することに関連する衝突を検出し、
前記衝突に少なくとも部分的に基づいて、別のサブフレームにおける別の共有のＳＲリソースで、前記ＳＲを再送信するように構成された少なくとも１つのプロセッサと、
前記少なくとも１つのプロセッサに接続されたメモリと、を備える装置。
【請求項１１】
前記少なくとも１つのプロセッサはさらに、前記ＳＲに少なくとも部分的に基づいて前記ｅＮＢからアップリンク許可を受信するように構成された、請求項１０に記載の装置。
【請求項１２】
前記共有のＳＲリソースは、コンテンション・ベースのＳＲを可能にする、請求項１０に記載の装置。
【請求項１３】
前記少なくとも１つのプロセッサはさらに、
前記衝突に少なくとも部分的に基づいて禁止タイマを設定し、
前記禁止タイマにしたがって、前記別のサブフレームにおける別の共有のＳＲリソースを選択するように構成された、請求項１０に記載の装置。
【請求項１４】
前記少なくとも１つのプロセッサはさらに、前記禁止タイマを設定するための値を、前記ｅＮＢから受信するように構成された、請求項１３に記載の装置。
【請求項１５】
前記少なくとも１つのプロセッサは、少なくとも部分的に、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信することによって、前記衝突を検出する、請求項１０に記載の装置。
【請求項１６】
前記コンテンション・ベースのグループ識別子は、少なくとも１つの類似の特性を有する複数のＵＥに関連付けられている、請求項１０に記載の装置。
【請求項１７】
共有のスケジューリング要求（ＳＲ）リソースを利用する装置であって、
共有のＳＲリソースでＳＲを送信することに関連付けられたコンテンション・ベースのグループ識別子を受信する手段と、
前記コンテンション・ベースのグループ識別子に関連付けられた共有のＳＲリソースをｅＮＢから受信する手段と、
前記共有のＳＲリソースで前記ＳＲを送信する手段と、
前記ＳＲを送信することに関連する衝突を検出する手段と、
前記衝突に少なくとも部分的に基づいて、別のサブフレームにおける別の共有のＳＲリソースで、前記ＳＲを再送信する手段と、を備える装置。
【請求項１８】
前記ＳＲに少なくとも部分的に基づいてアップリンク許可を受信する手段をさらに備える、請求項１７に記載の装置。
【請求項１９】
前記共有のＳＲリソースは、コンテンション・ベースのＳＲを可能にする、請求項１７に記載の装置。
【請求項２０】
前記再送信する手段はさらに、前記衝突を検出することに少なくとも部分的に基づいて、禁止タイマを設定し、前記禁止タイマにしたがって、前記別のサブフレームにおける別の共有のＳＲリソースを選択する、請求項１７に記載の装置。
【請求項２１】
前記禁止タイマが前記ｅＮＢから受信される、請求項２０に記載の装置。
【請求項２２】
前記衝突を検出する手段は、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信すること、のうちの少なくとも１つに少なくとも部分的に基づいて前記衝突を検出する、請求項１７に記載の装置。
【請求項２３】
前記コンテンション・ベースのグループ識別子は、複数のＵＥに関連付けられている、請求項１７に記載の装置。
【請求項２４】
前記複数のＵＥは、類似のチャネル条件またはサービス品質要件を有する、請求項２３に記載の装置。
【請求項２５】
共有のスケジューリング要求（ＳＲ）リソースを利用するためのコンピュータ読取可能な記録媒体であって、
少なくとも１つのコンピュータに対して、スケジューリング要求（ＳＲ）を送信することに関連付けられたコンテンション・ベースのグループ識別子を、共有のＳＲリソースで取得させるためのコードと、
前記少なくとも１つのコンピュータに対して、前記コンテンション・ベースのグループ識別子に関連付けられた共有のＳＲリソースを、イボルブド・ノードＢ（ｅＮＢ）から取得させるためのコードと、
前記少なくとも１つのコンピュータに対して、前記共有のＳＲリソースで前記ＳＲを送信させるためのコードと、
前記少なくとも１つのコンピュータに対して、前記ＳＲを送信することに関連する衝突を検出させるためのコードと、
前記少なくとも１つのコンピュータに対して、前記衝突に少なくとも部分的に基づいて、別のサブフレームにおける別の共有のＳＲリソースで、前記ＳＲを再送信させるためのコードとを記録したコンピュータ読取可能な記録媒体。
【請求項２６】
前記少なくとも１つのコンピュータに対して、前記ＳＲに少なくとも部分的に基づいて前記ｅＮＢからアップリンク許可を受信させるためのコードをさらに記録した、請求項２５に記載のコンピュータ読取可能な記録媒体。
【請求項２７】
前記共有のＳＲリソースは、コンテンション・ベースのＳＲを可能にする、請求項２５に記載のコンピュータ読取可能な記録媒体。
【請求項２８】
前記少なくとも１つのコンピュータに対して、前記衝突に少なくとも部分的に基づいて、禁止タイマを設定させるためのコードと、
前記少なくとも１つのコンピュータに対して、前記禁止タイマにしたがって、前記別のサブフレームにおける別の共有のＳＲリソースを選択させるためのコードとをさらに記録した、請求項２５に記載のコンピュータ読取可能な記録媒体。
【請求項２９】
前記少なくとも１つのコンピュータに対して、前記禁止タイマを設定するための値を、前記ｅＮＢから受信させるためのコードをさらに記録した、請求項２８に記載のコンピュータ読取可能な記録媒体。
【請求項３０】
前記少なくとも１つのコンピュータに対して、前記衝突を検出させるためのコードは、少なくとも部分的に、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信することによって、前記衝突を検出する、請求項２５に記載のコンピュータ読取可能な記録媒体。
【請求項３１】
前記コンテンション・ベースのグループ識別子は、少なくとも１つの類似の特性を有する複数のＵＥに関連付けられている、請求項２５に記載のコンピュータ読取可能な記録媒体。
【請求項３２】
共有のスケジューリング要求（ＳＲ）リソースを提供する方法であって、
複数のユーザ機器（ＵＥ）からなる少なくとも１つのグループのコンテンション・ベースのグループ識別子に関連付けられた共有のスケジューリング要求（ＳＲ）リソースを示すことと、
前記共有のＳＲリソースで、ＵＥからＳＲを受信することと、
前記ＳＲに少なくとも部分的に基づいて、前記ＵＥにアップリンク許可を送信することと、
前記共有のＳＲリソースで、別のＵＥから別のＳＲを受信することと、
前記ＵＥおよび前記別のＵＥへ衝突を示すことと、を備える方法。
【請求項３３】
前記複数のＵＥからなる少なくとも１つのグループのために共通のＳＲリソースを関連付けるために、前記複数のＵＥからなる少なくとも１つのグループへ、複数のＵＥをグループ化することと、
前記複数のＵＥからなる少なくとも１つのグループの前記コンテンション・ベースのグループ識別子を、前記ＵＥへ送信することと、ここで、前記ＵＥは、前記複数のＵＥからなる少なくとも１つのグループにある、をさらに備える請求項３２に記載の方法。
【請求項３４】
共有のスケジューリング要求（ＳＲ）リソースを提供する装置であって、
複数のユーザ機器（ＵＥ）からなる少なくとも１つのグループのコンテンション・ベースのグループ識別子に関連付けられた共有のＳＲリソースを指定し、
前記共有のＳＲリソースで、ＵＥからＳＲを取得し、
前記ＳＲに少なくとも部分的に基づいて、前記ＵＥにアップリンク許可を提供し、
前記共有のＳＲリソースで、別のＵＥから別のＳＲを取得し、
前記ＵＥおよび前記別のＵＥへ衝突を示す、ように構成された少なくとも１つのプロセッサと、
前記少なくとも１つのプロセッサに接続されたメモリと、を備える装置。
【請求項３５】
前記少なくとも１つのプロセッサはさらに、
前記複数のＵＥからなる少なくとも１つのグループのために共通のＳＲリソースを関連付けるために、前記複数のＵＥからなる少なくとも１つのグループへ、複数のＵＥをグループ化し、
前記複数のＵＥからなる少なくとも１つのグループのコンテンション・ベースのグループ識別子を、前記ＵＥへ送信するように構成され、
前記ＵＥは、前記複数のＵＥからなる少なくとも１つのグループにある、請求項３４に記載の装置。
【請求項３６】
共有のスケジューリング要求（ＳＲ）リソースを提供する装置であって、
複数のユーザ機器（ＵＥ）からなる少なくとも１つのグループのコンテンション・ベースのグループ識別子に関連付けられた共有のＳＲリソースを示す手段と、
前記共有のＳＲリソースで、ＵＥからＳＲを受信する手段と、
前記ＳＲに少なくとも部分的に基づいて、前記ＵＥにアップリンク許可を送信する手段と、
前記ＵＥへ衝突を示す手段と、を備え、
前記受信する手段は、前記共有のＳＲリソースで、別のＵＥから別のＳＲを受信する、装置。
【請求項３７】
前記複数のＵＥからなる少なくとも１つのグループのために共通のＳＲリソースを関連付けるために、前記複数のＵＥからなる少なくとも１つのグループへ、複数のＵＥをグループ化する手段をさらに備え、
前記示す手段はさらに、前記複数のＵＥからなる少なくとも１つのグループのコンテンション・ベースのグループ識別子を、前記ＵＥへ示し、
前記ＵＥは、前記複数のＵＥからなる少なくとも１つのグループにある、請求項３６に記載の装置。
【請求項３８】
共有のスケジューリング要求（ＳＲ）リソースを提供するためのコンピュータ読取可能な記録媒体であって、
少なくとも１つのコンピュータに対して、複数のユーザ機器（ＵＥ）からなる少なくとも１つのグループのコンテンション・ベースのグループ識別子に関連付けられた共有のＳＲリソースを指定させるためのコードと、
前記少なくとも１つのコンピュータに対して、前記共有のＳＲリソースで、ＵＥからＳＲを取得させるためのコードと、
前記少なくとも１つのコンピュータに対して、前記ＳＲに少なくとも部分的に基づいて前記ＵＥにアップリンク許可を提供させるためのコードと、
前記少なくとも１つのコンピュータに対して、前記共有のＳＲリソースで、別のＵＥから別のＳＲを取得させるためのコードと、
前記少なくとも１つのコンピュータに対して、前記ＵＥおよび前記別のＵＥへ衝突を示させるためのコードと、を記録したコンピュータ読取可能な記録媒体。
【請求項３９】
前記少なくとも１つのコンピュータに対して、前記複数のＵＥからなる少なくとも１つのグループのために共通のＳＲリソースを関連付けるために、前記複数のＵＥからなる少なくとも１つのグループへ、複数のＵＥをグループ化させるためのコードと、
前記少なくとも１つのコンピュータに対して、前記複数のＵＥからなる少なくとも１つのグループのコンテンション・ベースのグループ識別子を、前記ＵＥへ送信させるためのコードとを記録しており、
前記ＵＥは、前記複数のＵＥからなる少なくとも１つのグループにある、請求項３８に記載のコンピュータ読取可能な記録媒体。
【発明の詳細な説明】
【優先権主張】
【０００１】
本特許出願は、「ＬＴＥスケジューリング要求過負荷」（LTE SCHEDULING REQUEST OVERLOADING）と題された２００９年１２月２９日出願の米国特許仮出願６１／２９０，７４７号に対する優先権を主張する。この仮出願は、本明細書の譲受人に譲渡され、本明細書に参照によって明確に組み込まれている。
【技術分野】
【０００２】
以下の説明は、一般に、無線通信システムに関し、さらに詳しくは、スケジューリング要求の通信に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
さらに、例えば、基地局は、アップリンク・リソース用のスケジューリング要求（ＳＲ）を通信することを容易にするために、１または複数のデバイスへの専用のＳＲリソースを設定しうる。この点に関して、デバイスが、ユーザ・プレーン・データを送信する必要がある場合、デバイスは、ＳＲリソースを待ち、ＳＲリソースでＳＲを送信し、基地局からアップリンク許可を受信しうる。これによって、デバイスは、ユーザ・プレーン・データの送信を開始しうる。アップリンク許可を取得することに関連付けられたレイテンシは、（例えば、専用のＳＲリソースのデバイスにおける待ち時間を減らすために）専用のＳＲリソースを、頻繁な時間インタバルで設定することによって、少なくとも部分的に低減されうる。しかしながら、これはまた、デバイスのための専用のＳＲリソースが設定される、関連付けられた制御チャネルに対するオーバヘッドをももたらしうる。
【０００６】
この問題に対して提案された１つの解決策では、デバイスは、アップリンク許可に関連する頻繁な時間インタバル（例えば、ＬＴＥでは、１ミリ秒または２ミリ秒）で基地局から、コンテンション・ベースのラジオ・ネットワーク・テンポラリ識別子（ＣＢ−ＲＮＴＩ）を受信し、共有のリソース・チャネル（例えば、ＬＴＥにおける物理アップリンク共有チャネル（ＰＵＳＣＨ））で、コンテンション・ベースのアップリンク許可を求めて、制御リソースをモニタしうる。デバイスは、ユーザ・プレーン・データを送信する必要がある場合、所与の時間インタバルで、コンテンション・ベースの許可を受信し、ユーザ・プレーン・データを送信しうる。この解決策では、デバイスは、アップリンク・リソース許可において衝突する場合がある。しかしながら、基地局におけるデバイスの数が増加する例では、共有のリソース・チャネルにおける衝突から回復するために必要な時間は、デバイスが、許可を求めるためにＳＲリソースを待つことなく、コンテンション・ベースの許可を取得することを可能にする時間節約に勝りうる。
【発明の概要】
【０００７】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の実施形態および対応する開示によれば、さまざまな態様が、スケジューリング要求（ＲＳ）を送信するために、共有のＳＲリソースをデバイスへ提供することに関連して記載される。共有のＳＲリソースに関連する識別子は、所与の持続時間において、共有のＳＲリソースを示すインジケーションとともに、デバイスへシグナルされうる。したがって、デバイスは、アップリンク許可を得るために、受信された１または複数の識別子に関連する共有のＳＲリソースで、ＳＲを送信しうる。デバイスは、ＳＲを送信する前に、専用のＳＲリソースを待つ必要がないので、これは、アップリンク許可を受信することに関連付けられた遅れを低減させうる。さらに、専用のＳＲリソースおよび／またはアップリンク許可をシグナリングすることと比較して、制御チャネルにおけるオーバヘッドが低減されうる。さらに、ＳＲリソースに関連する識別子は、デバイスのグルーピングに対応しうる。これによって、デバイスは、デバイスを含むグループに関連する共有のＳＲリソースで送信しうる。
【０００９】
例によれば、共有のＳＲリソースでＳＲを送信することに関連付けられたグループ識別子を受信することと、グループ識別子に関連付けられた共有のＳＲリソースを、イボルブド・ノードＢ（ｅＮＢ）から受信することと、を含む無線通信の方法が提供される。この方法はさらに、共有のＳＲリソースでＳＲを送信することを含む。
【００１０】
別の態様では、共有のＳＲリソースでＳＲを送信することに関連付けられたグループ識別子を取得し、グループ識別子に関連付けられた共有のＳＲリソースをｅＮＢから取得する、ように構成された少なくとも１つのプロセッサを含む、共有のＳＲリソースを利用する装置が提供される。少なくとも１つのプロセッサはさらに、共有のＳＲリソースでＳＲを送信するように構成される。さらに、無線通信装置は、少なくとも１つのプロセッサに接続されたメモリを含む。
【００１１】
また別の態様では、共有のＳＲリソースでＳＲを送信することに関連付けられたグループ識別子を受信する手段と、グループ識別子に関連付けられた共有のＳＲリソースをｅＮＢから受信する手段とを含む、共有のＳＲリソースを利用するための装置が提供される。この装置はさらに、共有のＳＲリソースでＳＲを送信する手段を含む。
【００１２】
また、別の態様では、少なくとも１つのコンピュータに対して、共有のＳＲリソースでＳＲを送信することに関連付けられたグループ識別子を取得させるためのコードを有するコンピュータ読取可能な媒体を含む、共有のＳＲリソースを利用するためのコンピュータ・プログラム製品が提供される。このコンピュータ読取可能な媒体はさらに、少なくとも１つのコンピュータに対して、グループ識別子に関連付けられた共有のＳＲリソースをｅＮＢから取得させるためのコードと、少なくとも１つのコンピュータに対して、共有のＳＲリソースでＳＲを送信させるためのコードと、を含む。
【００１３】
別の例によれば、ユーザ機器（ＵＥ）の少なくとも１つのグループのグループ識別子に関連付けられた共有のＳＲリソースを示すことと、共有のＳＲリソースでＵＥからＳＲを受信することとを含む、共有のＳＲリソースを提供するための方法が提供される。この方法はまた、ＳＲに少なくとも部分的に基づいて、ＵＥにアップリンク許可を送信することをも含む。
【００１４】
別の態様では、ＵＥの少なくとも１つのグループのグループ識別子に関連付けられた共有のＳＲリソースを指定するように構成された少なくとも１つのプロセッサを含む、共有のＳＲリソースを提供するための装置が提供される。少なくとも１つのプロセッサはさらに、共有のＳＲリソースでＵＥからＳＲを取得し、ＳＲに少なくとも部分的に基づいてＵＥにアップリンク許可を提供する、ように構成される。さらに、無線通信装置は、少なくとも１つのプロセッサに接続されたメモリを含む。
【００１５】
また別の態様では、ＵＥの少なくとも１つのグループのグループ識別子に関連付けられた共有のＳＲリソースを示す手段を含む、共有のＳＲリソースを提供する装置が提供される。この装置はさらに、共有のＳＲリソースでＵＥからＳＲを受信する手段と、ＳＲに少なくとも部分的に基づいて、ＵＥにアップリンク許可を送信する手段とを含む。
【００１６】
さらに、別の態様では、少なくとも１つのコンピュータに対して、ＵＥの少なくとも１つのグループのグループ識別子に関連付けられた共有のＳＲリソースを指定させるためのコードを有するコンピュータ読取可能な媒体を含む、共有のＳＲリソースを利用するためのコンピュータ・プログラム製品が提供される。コンピュータ読取可能な媒体はさらに、少なくとも１つのコンピュータに対して、共有のＳＲリソースでＵＥからＳＲを取得させるためのコードと、少なくとも１つのコンピュータに対して、ＳＲに少なくとも部分的に基づいてＵＥにアップリンク許可を提供させるためのコードと、を含む。
【００１７】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１８】
開示された態様は、以下において、同一符号が同一要素を示す添付図面と連携して説明され、開示された態様を、限定することなく、例示するために提供される。
【図１】図１は、共有のスケジューリング要求（ＳＲ）リソースでＳＲを通信するためのシステムの例を例示する。
【図２】図２は、共有のスケジューリング要求（ＳＲ）リソースにおけるＳＲ衝突を検出するためのシステムの例を例示する。
【図３】図３は、共有のＳＲリソースに関連付けるためのデバイスのグループを定義するのための基地局の例を例示する。
【図４】図４は、共有のＳＲリソースでＳＲを通信することを容易にするシステムの例における通信を例示する。
【図５】図５は、共有のＳＲリソースにおけるＳＲ衝突を取り扱うシステムの例における通信を例示する。
【図６】図６は、ＳＲを送信するために共有のＳＲリソースを利用する方法の例を例示する。
【図７】図７は、共有のＳＲリソースを提供する方法の例を例示する。
【図８】図８は、衝突があると、別の共有のＳＲリソースでＳＲを再送信する方法の例を例示する。
【図９】図９は、共有のＳＲリソースにおけるＳＲ衝突を検出することを容易にする方法の例を例示する。
【図１０】図１０は、共有のＳＲリソースを利用することを容易にするモバイル・デバイスの例を例示する。
【図１１】図１１は、共有のＳＲリソースを提供することを容易にするシステムの例を例示する。
【図１２】図１２は、ＳＲを送信するために共有のＳＲリソースを利用するシステムの例を例示する。
【図１３】図１３は、共有のＳＲリソースを提供するためのシステムの例を例示する。
【図１４】図１４は、本明細書に記載されたさまざまな態様にしたがう典型的な無線通信システムの例を例示する。
【図１５】図１５は、本明細書に記載されたさまざまなシステムおよび方法と連携して適用されうる無線ネットワーク環境の例を例示する。
【発明を実施するための形態】
【００１９】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００２０】
ここでさらに説明するように、共有のスケジューリング要求（ＳＲ）リソースが、（例えば、アップリンク許可がユーザ・プレーン・データを送信するために望まれる場合、）ＳＲを送信するために、デバイスへ提供されうる。例えば、共有のＳＲリソースに関連する識別子は、所与の持続時間（例えば、ｎミリ秒（ｍｓ）毎。ここで、ｎは、正の整数）において、共有のＳＲリソースを示すインジケーションとともに、デバイスへシグナルされうる。したがって、デバイスは、アップリンク許可が望まれる場合、受信された１または複数の識別子に関連する共有のＳＲリソースで、ＳＲを送信しうる。デバイスは、ＳＲを送信する前に、専用のＳＲリソースを待つ必要がないので、これは、アップリンク許可を受信することに関連付けられた遅れを低減させうる。さらに、別の実施において使用される専用のＳＲリソースおよび／またはアップリンク許可をシグナリングすることと比較して、制御チャネルにおけるオーバヘッドが低減されうる。さらに、ＳＲリソースに関連する識別子は、デバイスのグルーピングに対応しうる。これによって、デバイスは、デバイスを含むグループに関連する共有のＳＲリソースでＳＲを送信できるようになりうる。例えば、デバイスは、デバイスにおけるチャネル条件、デバイスに関連するサービス品質（ＱｏＳ）、および／または、デバイス間の実質的に任意の類似の特性にしたがってグループ化されうる。この例では、共有のＳＲリソースを示す周期および／またはＳＲ電力制御が、デバイスのグループのために適用されうる。
【００２１】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２２】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画計画」（３ＧＰＰ）と命名された組織からの文書に記述されている。さらに、ｃｄｍａ２０００およびＵＭＢは、「第３世代パートナシップ計画計画２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２５】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２６】
図１は、共有のＳＲリソースを提供することを容易にする無線通信システム１００を例示する。システム１００は、無線ネットワーク・アクセスを受信するために基地局１０４と通信しうるデバイス１０２を含む。例えば、デバイス１０２は、ＵＥ、モデム（または、その他のテザー・デバイス）、これらの一部、または、無線ネットワークにおける１または複数の基地局またはその他のデバイスと通信しうる実質的に任意のデバイスでありうる。基地局１０４は、マクロセルまたはフェムトセルまたはピコセルの基地局、中継ノード、モバイル基地局、（例えば、ピア・トゥ・ピアまたはアド・ホック・モードでデバイス１０２と通信している）モバイル・デバイス、これらの一部、および／または、１または複数のデバイスへ無線ネットワーク・アクセスを提供しうる実質的に任意のデバイスでありうる。
【００２７】
デバイス１０２は、共有のＳＲリソースを利用することに関連する１または複数の識別子を取得する識別子受信構成要素１０６と、１または複数の識別子のうちの少なくとも１つに関連する共有のＳＲリソースを示すインジケーションを取得する共有ＳＲリソース受信構成要素１０８とを含みうる。デバイス１０２はまた、示された共有のＳＲリソースでＳＲを通信するＳＲ送信構成要素１１０と、ＳＲに少なくとも部分的に基づいてアップリンク許可を取得するアップリンク許可受信構成要素１１２と、をも備えうる。基地局１０４はまた、共有のＳＲリソースを利用することに関連する１または複数の識別子をデバイスへ通信する、オプションの識別子プロビジョニング構成要素１１４と、１または複数の識別子のための共有のＳＲリソースを確立する共有ＳＲ設定構成要素１１６と、を備えうる。基地局１０４はまた、１または複数のデバイスから、共有のＳＲリソースでＳＲを取得するＳＲ受信構成要素１１８と、ＳＲに少なくとも部分的に基づいて、１または複数のデバイスへアップリンク許可を割り当てるアップリンク許可提供構成要素１２０と、を備えうる。
【００２８】
例によれば、１または複数のデバイスが、基地局１０４へＳＲを送信するために、同じ共有のＳＲリソースを利用できるように、基地局１０４は、共有のＳＲリソースを提供しうる。例えば、ＳＲリソースは、デバイスが基地局１０４からのアップリンク許可を要求するために基地局１０４へＳＲを送信するリソースのセットを称しうる。ＳＲリソースは、１または複数のデバイスとＳＲを通信するために定義された時間のうちの１または複数の期間における周波数の１または複数の部分に関連する。この点において、共有ＳＲ設定構成要素１１６は、１または複数のデバイスのための共有のＳＲリソースを設定しうる。一例において、共有ＳＲ設定構成要素１１６は、１または複数のデバイスに関連する１または複数の識別子のおのおのについて、共有のＳＲリソースを設定しうる。そして、共有ＳＲ設定構成要素１１６は、同様に、共有のＳＲリソースと、対応する識別子とを示すインジケーションをと、デバイス１０２へ通信しうる。したがって、ＳＲ送信構成要素１１０は、示された共有のＳＲリソースの識別子におけるデバイス１０２に関連する識別子を位置決めすることに少なくとも部分的に基づいて、デバイス１０２のための共有のＳＲリソースを決定しうる。そして、基地局１０４からのアップリンク許可を要求するために、共有のＳＲリソースでＳＲを送信しうる。
【００２９】
一例において、識別子受信構成要素１０６は、基地局１０４（例えば、識別子プロビジョニング構成要素１１４）から、デバイス１０２に関連する識別子を取得しうる。別の例では、識別子受信構成要素１０６は、ハードコーディング、ネットワーク仕様、設定等から、デバイス１０２に関連する識別子を受信しうる。
【００３０】
共有ＳＲ設定構成要素１１６は、１または複数の持続時間（例えば、ｎミリ秒毎）またはサブフレームの一部においてシグナリングすることによって、共有のＳＲリソースと、共有のＳＲリソースに関連する識別子とを、指定しうる。例えば、サブフレームは、直交周波数分割多重（ＯＦＤＭ）シンボルの集合を含んでおり、したがって、共有ＳＲ設定構成要素１１６は、ｎ個のＯＦＤＭシンボル毎に、共有のＳＲリソースと対応する識別子とを示すインジケーションを通信しうる。さらに、識別子プロビジョニング構成要素１１４は、１または複数の持続時間や、サブフレームの一部等においても同様に、デバイス１０２に関連する識別子を送信しうる。この例では、識別子受信構成要素１０６は、識別子プロビジョニング構成要素１１４から、（例えば、ブロードキャストまたは専用のシグナリングによって）基地局１０４から、１または複数の識別子を取得しうる。
【００３１】
一例において、共有ＳＲ設定構成要素１１６は、（例えば、ラジオ・リソース制御（ＲＲＣ）シグナリングを用いて）レイヤ３（Ｌ３）によって、デバイス１０２へ、共有のＳＲリソースを示すインジケーションを送信しうる。そして、共有ＳＲリソース受信構成要素１０８は、１または複数の持続時間において、Ｌ３レイヤによって、このインジケーションを取得しうる。これは、（例えば、ＬＴＥにおける物理ダウンリンク制御チャネル（ＰＤＣＣＨ）のような）制御チャネルで、ＳＲリソース・インジケーションを送信することによって生じるオーバヘッドを緩和しうる。さらに、ＳＲ受信構成要素１１８は、ＳＲ送信構成要素１１０によって送信されたＳＲを取得しうる。さらに、アップリンク許可提供構成要素１２０は、ＳＲに少なくとも部分的に基づいて、デバイス１０２へアップリンク送信リソースを割り当てうる。そして、このリソースを示すアップリンク許可をデバイス１０２へ送信しうる。アップリンク許可受信構成要素１１２は、このアップリンク許可を取得しうる。そして、デバイス１０２は、アップリンク・リソースによって、基地局１０４との通信を開始しうる。例えば、アップリンク・リソースは、（例えば、ＬＴＥにおける）物理アップリンク共有チャネル（ＰＵＳＣＨ）リソースに関連しうる。
【００３２】
図２は、共有のＳＲリソースによるＳＲ送信の衝突の取り扱いを容易にするデバイス２００の例を図示する。デバイス２００は、無線ネットワーク・アクセスを受信するために基地局２０４と通信しうるＵＥ、モデム等でありうる。デバイス２００は、共有のＳＲリソースを利用することに関連する１または複数の識別子を取得する識別子受信構成要素１０６と、１または複数の識別子のうちの少なくとも１つに関連する共有のＳＲリソースを示すインジケーションを取得する共有ＳＲリソース受信構成要素１０８と、示された共有のＳＲリソースでＳＲを通信するＳＲ送信構成要素１１０とを備えうる。さらに、デバイス２００は、共有のＳＲリソースにおける１または複数の別のデバイスとの衝突を検出するＳＲ衝突判定構成要素２０６と、衝突から回復するために、別の共有のＳＲリソースでＳＲを再送信するＳＲ再送信構成要素２０８とを備えうる。さらに、基地局２０４は、通信衝突を解決する、禁止タイマのための１または複数のパラメータを、デバイス２０２へ通信しうる、オプションの禁止タイマ設定構成要素２１０と、共有のＳＲリソースでＳＲを取得しうるＳＲ受信構成要素１１８と、共有のＳＲリソースにおける２またはそれ以上のＳＲ衝突を判定する、および／または、示しうるＳＲ衝突検出構成要素２１２と、を含みうる。
【００３３】
識別子受信構成要素１０６は、基地局２０４から、１または複数の識別子を取得しうる。これらの識別子は、共有のＳＲリソースを利用することに関連するグループ識別子でありうる。例えば、さらに、共有ＳＲリソース受信構成要素１０８は、基地局から、１または複数の識別子に関連する共有のＳＲリソースを示すインジケーションを取得しうる。デバイス１０２は、（例えば、識別子の共有のＳＲリソースを示すインジケーションで指定れたような）識別子に関連付けられた共有のＳＲリソースによってＳＲを送信するために、ＳＲ送信構成要素１１０を利用することによって、ユーザ・プレーン・データを通信するためのアップリンク許可を要求し、アップリンク許可を受信することが容易になる。
【００３４】
（例えば、複数のデバイスが、基地局によってグループ化されうる場合）共有のＳＲリソースは、複数のデバイスをサポートしうる。これによって、複数のデバイスが、共有のＳＲリソースでＳＲを送信できるようになりうる。例えば、ＳＲ送信構成要素１１０は、共有のＳＲリソースでＳＲを送信しうる。そして、ＳＲ受信構成要素１１８は、共有のＳＲリソースによって、（図示しない）別のデバイスから、別のＳＲとともに、ＳＲを取得しうる。ＳＲ衝突検出構成要素２１２は、ＳＲ間の干渉によってＳＲを適切に復号できないので、ＳＲ間の衝突を判定しうる。一例において、ＳＲ衝突構成要素２１２は、デバイス２０２（例えば、およびその他のデバイス）からのＳＲの再送信を要求すること、デバイス２０２にエラーを送信すること、等のうちの少なくとも１つによって、デバイス２０２へ衝突を示しうる。例えば、再送信を要求することは、共有のＳＲリソースの再送信インジケータ・チャネル（例えば、ＬＴＥにおける物理ハイブリッド自動反復／要求（ＨＡＲＱ）インジケータ・チャネル（ＰＨＩＣＨ））で、否定的なアクノレッジメントを送信することによって実行されうる。
【００３５】
ＳＲ衝突判定構成要素２０６は、１または複数の追加のデバイスを用いて、衝突を検出しうる。一例では、ＳＲ衝突判定構成要素２０６は、ＳＲ送信に関するエラーを、基地局２０４から受信すること、指定された期間後、基地局からアップリンク許可を受信しないこと、基地局２０４から、衝突を示す明示的なインジケーションを受信すること、ＳＲに関連する再送信要求を基地局２０４から受信すること、のうちの少なくとも１つに少なくとも部分的に基づいて、衝突を検出しうる。ＳＲ再送信構成要素２０８は、衝突から回復することを試みるために、ＳＲを再送信しうる。ＳＲ再送信構成要素２０８は、別の衝突の機会を最小化するために、別のサブフレームにおける別の共有のＳＲリソースで、ＳＲを再送信しうる。さらに、ＳＲ再送信構成要素２０８は、設定、ハードコーディング、ネットワーク仕様等にしたがって、別の共有のＳＲリソースを、ランダムに、準ランダムに（例えば、デバイス２０２の識別子に少なくとも部分的に基づいて）選択しうる。
【００３６】
ＳＲ再送信構成要素２０８はまた、例えば、同じ追加のデバイスとの即時の衝突を避けるために、ある期間、再送信をブロックする禁止タイマを適用しうる。例えば、ＳＲ再送信構成要素２０８は、（例えば、他のデバイス衝突を取り扱うために）すでにデバイス２００に設定されている禁止タイマを利用しうる。禁止タイマ設定構成要素２１０は、禁止タイマを設定しうる。そして、同じ共有のＳＲリソースを共有するデバイス（例えば、同じグループのデバイス）のために、別の禁止タイマを設定しうる。これは、タイマを開始する際に使用されるべき値を設定することを含みうる。したがって、この例では、禁止タイマ設定構成要素２１０は、少なくとも、禁止タイマ持続時間を、デバイス２０２に通信しうる。そして、ＳＲ再送信構成要素２０８は、ＳＲを再送信するために利用される共有のＳＲリソースを相違させるために、受信した持続時間を用いて、禁止タイマを利用しうる。例えば、ＳＲ再送信構成要素２０８は、禁止タイマに少なくとも部分的に基づいて、ＳＲを再送信するためのリソースを選択しうる（例えば、タイマの終了後に生じるリソースを選択し、タイマの終了を判定した後にリソースを選択する等である）。また別の例では、ＳＲ再送信構成要素２０８は、１または複数のＳＲ再送信から、アップリンク許可を受信しないのであれば、ランダム・バックオフを実行するランダム禁止タイマを利用しうる。ＳＲ再送信構成要素２０８は、禁止タイマにしたがって、ＳＲを再送信しうる。例えば、これは、ＳＲ再送信構成要素２０８が、以前のＳＲ送信（または再送信）が、別のデバイスと衝突するか、もしくは受信されないと判定すると、禁止タイマを起動することと、禁止タイマが終了すると、ＳＲを再送信することと、を含みうる。
【００３７】
図３は、共有のＳＲリソースを１または複数のデバイスへ提供することを容易にする基地局３００の例を例示する。基地局３００は、無線ネットワーク内の１または複数のデバイスへ無線ネットワーク・アクセスを提供しうる。基地局３００は、共有のＳＲリソースを提供するためのグループにおける１または複数のデバイスを、デバイスのグループに関連付けるためのデバイス・グルーピング構成要素３０２と、共有のＳＲリソースを利用することに関連する１または複数のグループ識別子をデバイスへ通信する識別子プロビジョニング構成要素１１４と、１または複数のグループ識別子のための共有のＳＲリソースを確立する共有ＳＲ設定構成要素１１６と、を備えうる。
【００３８】
デバイス・グルーピング構成要素３０２は、１または複数のデバイスの１または複数の類似の特性にしたがって、共有のＳＲリソースを割り当てる１または複数のデバイスを、グループに関連付けうる。例えば、１または複数の類似の特性は、（例えば、デバイスからレポートされたチャネル条件、デバイスからの測定された信号品質等に少なくとも部分的に基づいて基地局３００によって判定されるような、）基地局３００とデバイスとの間のチャネル条件、（例えば、デバイスから受信された等のような）デバイスのＱｏＳ要件、デバイスまたは関連するネットワーク・インタフェースのタイプ等に対応しうる。一例において、デバイス・グルーピング構成要素３０２は、類似のチャネル条件、類似のＱｏＳ要件等を用いてデバイスをグループ化しうる。
【００３９】
識別子プロビジョニング構成要素１１４は、デバイスに関連付けられたグループに利用可能な１または複数の識別子をデバイスへ通信しうる。そして、共有ＳＲ設定構成要素１１６は、１または複数の識別子のための共有のＳＲリソースを示すインジケーションをデバイスへプロビジョンしうる。さらに、デバイスは、受信したグループ識別子のうちの少なくとも１つを、１または複数の共有のＳＲリソースのうちの少なくとも１つの識別子にマッチングさせることに少なくとも部分的に基づいて、どの共有のＳＲリソースを利用するのかを判定しうる。さらに、例において、デバイス・グルーピング構成要素３０２は、例えば、コンテンション・ベースのラジオ・ネットワーク・テンポラリ識別子（ＣＢ−ＲＮＴＩ）のようなコンテンション・ベースのグループ識別子を利用しうる。さらに、共有ＳＲ設定構成要素１１６が、共有のＳＲリソース・インジケーションを送信する周期は、ＳＲ電力制御を行いうるので、ＵＥのおのおののグループ毎に定義されうる。これはまた、共有のＳＲリソース・インジケーションでも指定されうる。
【００４０】
図４は、共有のＳＲリソースを１または複数のデバイスへ提供することを容易にする無線通信システム４００の例における通信を例示する。システム４００は、無線ネットワークへのアクセスを受信するためにｅＮＢ４０４と通信するＵＥ４０２を含む。図４は、単一のＵＥ４０２を備えた無線通信システム４００の例を例示しているが、この無線通信システム４００の例は、任意の数のＵＥと動作することが意図されており、ＵＥ４０２は、システム４００におけるＵＥの典型である。
【００４１】
ＵＥ４０２が、共有のＳＲリソースでＳＲを送信することを可能にするために、ｅＮＢ４０４は、ＵＥ４０２に対して、利用可能なＣＢ−ＲＮＴＩ４０６を通知しうる。これは、ＵＥ４０２を（例えば、類似のチャネル条件、ＱｏＳ要件等を有する）他のＵＥとグループ化することと、グループに関連するＣＢ−ＲＮＴＩを通信することと、を含みうる。この点では、ｅＮＢ４０４は、グループ内の１または複数の他のＵＥにも同様にＣＢ−ＲＮＴＩを通信しうる。さらに、ｅＮＢ４０４は、ＣＢ−ＲＮＴＩ４０８に関連する共有のＳＲリソースを示すインジケーションを通信しうる。したがって、ＵＥ４０２は、アップリンク・リソースを要求した場合、ＣＢ−ＲＮＴＩのうちの１または複数に関連する共有のＳＲリソースによって、ｅＮＢ４０４にＳＲ４１０を送信しうる。この点において、例えば、ＵＥ４０２は、受信した１または複数のＣＢ−ＲＮＴＩから、ＣＢ−ＲＮＴＩを選択しうる。ｅＮＢ４０４は、ＳＲに少なくとも部分的に基づいてＵＥ  ４０２へアップリンク許可４１２を提供しうる。そして、ＵＥ４０２は、ユーザ・プレーン・データ４１４を、アップリンクでｅＮＢ４０４へ送信しうる。
【００４２】
図５は、共有のＳＲリソースを１または複数のデバイスへ提供する際における衝突を解決することを容易にする無線通信システム５００の例における通信を例示する。システム５００は、無線ネットワークへのアクセスを受信するために、ｅＮＢ４０４と通信するＵＥ４０２を含む。同様に、図５は、単一のＵＥ４０２を備えた無線通信システム５００の例を例示しているが、この無線通信システム５００の例は、任意の数のＵＥと動作することが意図されており、ＵＥ４０２は、システム５００におけるＵＥの典型である。
【００４３】
ＵＥ４０２が、共有のＳＲリソースでＳＲを送信することを可能にするために、ｅＮＢ４０４は、ＵＥ４０２に対して、利用可能なＣＢ−ＲＮＴＩ４０６を通知しうる。これは、ＵＥ４０２を（例えば、類似のチャネル条件、ＱｏＳ要件等を有する）他のＵＥとグループ化することと、グループに関連するＣＢ−ＲＮＴＩを通信することと、を含みうる。ｅＮＢ４０４は、グループ内の１または複数の他のＵＥにＣＢ−ＲＮＴＩを通信しうる。さらに、ｅＮＢ４０４は、ＣＢ−ＲＮＴＩ４０８に関連する共有のＳＲリソースを示すインジケーションを通信しうる。したがって、ＵＥ４０２は、アップリンク・リソースを要求した場合、ＣＢ−ＲＮＴＩのうちの１または複数に関連する共有のＳＲリソースによって、ｅＮＢ４０４にＳＲ４１０を送信しうる。したがって、この例では、ＵＥ４０２は、受信した１または複数のＣＢ−ＲＮＴＩから、ＣＢ−ＲＮＴＩを選択しうる。ＳＲリソースは、複数のＵＥで共有されうるので、ＳＲ４１０は、他のＵＥからの１または複数のＳＲと衝突しうる。
【００４４】
ｅＮＢ４０４は、ＵＥ４０２に対して、（例えば、明示的なインジケーション、エラー、再送信要求等によって、）ＳＲ衝突５０２を通知しうる。ＵＥ４０２は、ＳＲ衝突に少なくとも部分的に基づいて禁止タイマ５０４を起動しうる。禁止タイマ５０４の終了後、ＵＥ４０２は、ＳＲ５０６をｅＮＢ４０４へ再送信しうる。したがって、ＳＲ再送信５０６は、成功も失敗もありうる。後者の場合、ＵＥ４０２は再び、禁止タイマ５０４を起動し、ＳＲ５０６の再送信を試みうる。さらに、ＵＥ４０２は、予め設定された禁止タイマを利用し、設定された禁止タイマ値をｅＮＢ４０４から受信し（例えば、これは、ＵＥ４０２のグルーピングに少なくとも部分的に基づきうる）、ＳＲ５０６の再送信が失敗する毎に減少するランダム・バックオフ・タイマを利用すること等を行いうる。
【００４５】
図６−９は、共有のＳＲリソースで通信することに関連する方法の例を例示する。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４６】
図６は、ＳＲを送信するために共有のＳＲリソースを利用することを容易にする方法６００の例を例示する。６０２では、共有のＳＲリソースでＳＲを送信することに関連付けられたグループ識別子が受信されうる。グループ識別子は、例えば、ＱｏＳ、チャネル条件、デバイス・タイプ、ネットワーク・インタフェース等のような、少なくとも１つの類似の特性を有するＵＥのグループに関連しうる。さらに、ハードコーディング、ネットワーク仕様、または設定等からのグループ識別子が、（例えば、基地局に接続された場合、無線ネットワークに接続された場合等、共有のＳＲリソースを示すインジケーションとともに）ｅＮＢから受信されうる。６０４では、グループ識別子に関連付けられた共有のＳＲリソースが、ｅＮＢから受信されうる。例えば、共有のＲリソース（例えば、および／または、グループ識別子）は、ｅＮＢから、Ｌ３シグナリングによって、あるいは、例えばｎミリ秒毎のような持続時間内に、または、サブフレームのその他の部分で受信されうる。これに加えて、または、この代わりに、共有のＳＲリソースは、持続的でありうる。６０６では、ＳＲは、共有のＳＲリソースで送信されうる。これは、アップリンク許可を得ることでありうる。
【００４７】
図７は、共有のＳＲリソースでＳＲを受信することを容易にする方法７００の例を例示する。７０２では、ＵＥの少なくとも１つのグループのグループ識別子に関連付けられた共有のＳＲリソースが示されうる。例えば、これは、共有のＳＲリソースと、関連付けられたグループ識別子とを、（例えば、Ｌ３シグナリングによって）１または複数のデバイスへシグナリングすることを含みうる。さらに、ＵＥは、少なくとも１つの類似の特性にしたがってグループ化されうる。そして、識別子が、このような１つのグループに関連付けられうる。７０４では、共有のＳＲリソースで、ＵＥからＳＲが受信されうる。７０６では、ＳＲに少なくとも部分的に基づいて、ＵＥにアップリンク許可が送信されうる。
【００４８】
図８は、前のＳＲの衝突が判定されると、ＳＲを再送信するための方法８００の例を例示する。８０２では、ＳＲ衝突インジケーションが、ｅＮＢから受信されうる。ＳＲリソースは共有されているので、単一のグループ識別子に関連するＳＲは、共有のＳＲリソースで衝突しうる。８０４では、別のサブフレームにおいて、別の共有のＳＲリソースが選択されうる。例えば、これは、前のサブフレームとは異なるサブフレームの別の関連部分にあるべき別の共有のＳＲリソースを選択することを含みうる。例えば、共有のＳＲリソースでいつＳＲを再送信するかを決定するために、禁止タイマが利用されうる。別の例では、別のサブフレームにおける別の部分を選択することは、ハードコーディング、ネットワーク仕様、または設定等にしたがって、ランダムに、準ランダムになされうる。８０６では、ＳＲは、異なるサブフレームにおける異なる共有のＳＲリソースで再送信されうる。
【００４９】
図９は、共有のＳＲリソースでのＳＲ衝突を検出することを容易にする方法９００の例を例示する。９０２では、共有のＳＲリソースでのＳＲの衝突が判定されうる。例えば、これは、干渉によってＳＲが復号されないことを判定することを含みうる。９０４では、１または複数のデバイスから、ＳＲの再送信が要求されうる。
【００５０】
本明細書で記述された１または複数の態様によれば、説明しているように、ＵＥのグループのグループ識別子を決定すること、ＳＲ衝突を検出すること等に関して推論がなされうる。「推論する」または「推論」という用語は一般に、イベントおよび／またはデータによって取得された観察のセットからの、システム、環境、および／または、ユーザの状態の推論またはそれに関する理由付けの処理を称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５１】
図１０は、１または複数の基地局へＳＲを送信するために、共有のＳＲリソースを利用することを容易にするモバイル・デバイス１０００を例示する。モバイル・デバイス１０００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１００２を含みうる。受信機１００２は、受信したシンボルを復調し、これらを、チャネル推定のために、プロセッサ１００６へ提供する復調器１００４を含みうる。プロセッサ１００６は、受信機１００２によって受信された情報の分析、および／または、送信機１０１６による送信のための情報の生成に特化されたプロセッサであるか、モバイル・デバイス１０００の１または複数の構成要素を制御するプロセッサであるか、および／または、受信機１００２によって受信された情報の分析と、送信機１０１６による送信のための情報の生成と、モバイル・デバイス１０００の１または複数の構成要素の制御との両方を行うプロセッサでありうる。
【００５２】
モバイル・デバイス１０００はさらにメモリ１００８を備えうる。このメモリ１００８は、プロセッサ１００６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ１００８はさらに、（例えば、パフォーマンス・ベース、キャパシティ・ベース等での）チャネルの推定および／または利用に関連付けられたアルゴリズムおよび／またはプロトコルを格納しうる。
【００５３】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ１００８は、限定される訳ではないが、これらおよびその他任意の適切なタイプのメモリを備えることが意図される。
【００５４】
プロセッサ１００６はさらに、モバイル・デバイス１０００に関連する識別子を取得するための識別子受信構成要素１０６と、ＳＲを通信するための共有のＳＲリソースを示すインジケーションを取得する共有ＳＲリソース受信構成要素１０８と、識別子に少なくとも部分的に基づいて、共有のＳＲリソースでＳＲを通信するＳＲ送信構成要素１１０と、ＳＲに少なくとも部分的に基づいてアップリンク許可を取得するアップリンク許可受信構成要素１１２と、に動作可能に接続されうる。例えば、受信機１００２は、基地局または他のデバイスから信号を取得し、プロセッサ１００６に信号を提供しうる。そして、識別子受信構成要素１０６は、モバイル・デバイス１０００のための識別子に関連する信号を判定しうる。別の例では、識別子受信構成要素１０６は、ハードコーディング、ネットワーク仕様、設定等から、識別子を判定しうる。したがって、例えば、識別子受信構成要素１０６は、一例において、メモリ１００８内に識別子を格納しうる。同様に、共有ＳＲリソース受信構成要素１０８は、１または複数の信号が、共有のＳＲリソースおよび関連するデバイス識別子を示すインジケーションに関連しているか否かを判定しうる。
【００５５】
例えば、共有ＳＲリソース受信構成要素１０８は、同様に、共有のＳＲリソース位置および関連する識別子をメモリ１００８に格納しうる。この点に関し、ＳＲ送信構成要素１１０は、メモリ１００８に格納された識別子に対応する共有のＳＲリソースをメモリ１００８から判定し、（例えば、プロセッサ１００６によって）共有のＳＲリソースでＳＲを送信しうる。この点において、アップリンク許可受信構成要素１１２は、その後受信された信号が、ＳＲに関連するアップリンク許可を含んでいるか否かを判定し、含んでいると判定されると、基地局に信号を送信する際に使用するために、アップリンク許可を示すインジケーションをメモリ１００８に格納しうる。モバイル・デバイス１０００はさらに、信号を変調する変調器１０１４と、この信号を例えば基地局や、他のモバイル・デバイス等へ送信する送信機１０１６とを備える。プロセッサ１００６と別に図示されているが、識別子受信構成要素１０６、共有ＳＲリソース受信構成要素１０８、ＳＲ送信構成要素１１０、アップリンク許可受信構成要素１１２、復調器１００４、および／または、変調器１０１４は、プロセッサ１００６または複数のプロセッサ（図示せず）の一部でありうることが認識されるべきである。
【００５６】
図１１は、１または複数のモバイル・デバイスからＳＲを受信するための共有のＳＲリソースを提供することを容易にするシステム１１００の例を例示する。システム１１００は、複数の受信アンテナ１１０６を介して１または複数のモバイル・デバイス１１０４から信号（単数または複数）を受信する受信機１１１０と、送信アンテナ１１０８を介して１または複数のモバイル・デバイス１１０４へ送信する送信機１１２４とを有する、実質的に任意の基地局（例えば、フェムトセル、ピコセル、マクロセル等、中継ノード、モバイル基地局・・）でありうる基地局１１０２（例えば、アクセス・ポイント）を備える。受信機１１１０は、受信アンテナ１１０６から情報を受信しうる。さらに、受信した情報を復調する復調器１１１２と動作可能に関連付けられている。復調されたシンボルは、図１０に関連して上述されたプロセッサに類似しているプロセッサ１１１４によって分析される。プロセッサ１１１４は、信号（例えば、パイロット）強度および／または干渉強度に関連する情報、モバイル・デバイス（単数または複数）１１０４（または、（図示しない）別の基地局）との間で送信または受信されるデータ、および／または、本明細書に記載されたさまざまな動作および機能を実行することに関連するその他任意の適切な情報を格納するメモリ１１１６に接続されている。プロセッサ１１１４はさらに、共有ＳＲ設定構成要素１１６、ＳＲ受信構成要素１１８、およびアップリンク許可提供構成要素１２０に接続されている。
【００５７】
例によれば、共有ＳＲ設定構成要素１１６は、デバイス識別子（例えば、グループ識別子でありうる）に関連する共有のＳＲリソースのセットを定義し、関連するデバイス識別子と共有のＳＲリソースのセットを示すＬ３信号をプロセッサ１１４を介してモバイル・デバイス１１０４へ送信しうる。さらに、ＳＲ受信構成要素１１８は、受信機１１１０によって受信されプロセッサ１１１４へ提供された１または複数の信号が、共有のＳＲリソースで受信されたＳＲであるか否かを判定しうる。共有のＳＲリソースで受信されたＳＲであると判定された場合には、アップリンク許可提供構成要素１２０が、関連するモバイル・デバイスへアップリンク許可を割り当て、この許可の通知を、プロセッサ１１１４を介してモバイル・デバイスへ送信しうる。例えば、プロセッサ１１１４は、送信される信号を、変調器１１２２を用いて変調し、変調された信号を、送信機１１２４を用いて送信しうる。送信機１１２４は、Ｔｘアンテナ１１０８を介してモバイル・デバイス１１０４へ信号を送信しうる。さらに、プロセッサ１１１４と別に示されているが、共有ＳＲ設定構成要素１１６、ＳＲ受信構成要素１１８、アップリンク許可提供構成要素１２０、復調器１１１２、および／または、変調器１１２２は、プロセッサ１１１４または複数のプロセッサ（図示せず）のうちの一部でありうることが認識されるべきである。
【００５８】
図１２は、共有のＳＲリソースでＳＲを通信するシステム１２００の例を例示する。例えば、システム１２００は、基地局、モバイル・デバイス等の中に少なくとも部分的に存在しうる。システム１２００は、プロセッサ、ソフトウェア、またはこれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、共有のＳＲリソースによってＳＲを送信することに関連付けられたグループ識別子を受信するための電子構成要素１２０４を含みうる。グループ識別子は、ｅＮＢ，ハードコーディング、ネットワーク仕様、または設定等から取得されうる。そして、少なくと１つの類似の特性を有するＵＥのグループに対応しうる。さらに、論理グループ１２０２は、ｅＮＢから、グループ識別子に関連付けられた共有のＳＲリソースを受信するための電子構成要素１２０６を備えうる。
【００５９】
一例では、共有のＳＲリソース（例えば、および／または、グループ識別子）は、ＳＲリソースを獲得することに関連付けられた長い待ち時間を緩和するために、所与の持続時間（例えば、ｎミリ秒毎）に受信されうる。さらに、共有のＳＲリソース、または、これを示すインジケーションは、一例において、ｅＮＢから、Ｌ３シグナリングを介して受信されうる。さらに、論理グループ１２０２は、共有のＳＲリソースでＳＲ送信するための電子構成要素１２０８を備えうる。例えば、態様において、電子構成要素１２０４は、識別子受信構成要素１０６を含みうる。さらに、例えば、電子構成要素１２０６は、態様において、共有ＳＲリソース受信構成要素１０８を含みうる。さらに、例において、電子構成要素１２０８は、態様において、ＳＲ送信構成要素１１０を含みうる。さらに、システム１２００は、電子構成要素１２０４，１２０６，１２０８に関連付けられた機能を実行するための命令群を保持するメモリ１２１０を含みうる。メモリ１２１０の外側にあるとして示されているが、電子構成要素１２０４，１２０６，１２０８のうちの１または複数は、メモリ１２１０内に存在しうることが理解されるべきである。
【００６０】
一例において、電子構成要素１２０４，１２０６，１２０８は、少なくとも１つのプロセッサを含みうる。または、電子構成要素１２０４，１２０６，または１２０８おのおのは、少なくとも１つのプロセッサの対応するモジュールでありうる。さらに、追加のまたは代わりの例において、電子構成要素１２０４，１２０６，１２０８は、コンピュータ読取可能な媒体を備えるコンピュータ・プログラム製品でありうる。ここで、おのおのの電子構成要素１２０４，１２０６，または１２０８は、対応するコードでありうる。
【００６１】
図１３は、共有のＳＲリソースを提供するシステム１３００の例を例示する。例えば、システム１３００は、基地局、モバイル・デバイス等の中に少なくとも部分的に存在しうる。システム１３００は、プロセッサ、ソフトウェア、またはこれらの組み合わせ（例えば、ファームウェア）によって実現される機能を表す機能ブロックでありうる機能ブロックを含むものとして示されることが認識されるべきである。システム１３００は、連携して動作しうる電子構成要素の論理グループ１３０２を含む。例えば、論理グループ１３０２は、ＵＥの少なくとも１つのグループの識別子に関連付けられた共有のＳＲリソースを示すための電子構成要素１３０４を含みうる。これは、所与の持続時間にしたがってこのようなインジケーションをシグナリングすることを含みうる。さらに、論理グループ１３０２は、共有のＳＲリソースで、ＵＥからＳＲを受信するための電子構成要素１３０６を備えうる。
【００６２】
例えば、これは、共有のＳＲリソースを、Ｌ３シグナリングでシグナリングすることを含みうる。さらに、論理グループ１３０２は、ＳＲに少なくとも部分的に基づいてＵＥへアップリンク許可を送信するための電子構成要素１３０８を含みうる。ＵＥは、その後、信号をシステム１３００に送信するために、アップリンク許可を利用しうる。例えば、態様では、電子構成要素１３０４は、共有ＳＲ設定構成要素１１６を含みうる。さらに、例えば、電子構成要素１３０６は、態様において、ＳＲ受信構成要素１１８を含みうる。さらに、例において、電子構成要素１３０８は、態様において、アップリンク許可提供構成要素１２０を含みうる。さらに、システム１３００は、電子構成要素１３０４，１３０６，１３０８に関連付けられた機能を実行するための命令群を保持するメモリ１３１０を含みうる。メモリ１３１０の外側にあるとして示されているが、電子構成要素１３０４，１３０６，１３０８のうちの１または複数は、メモリ１３１０内に存在しうることが理解されるべきである。
【００６３】
一例において、電子構成要素１３０４，１３０６，１３０８は、少なくとも１つのプロセッサを備えうる。または、電子構成要素１３０４，１３０６，または１３０８はおのおの、少なくとも１つのプロセッサの対応するモジュールでありうる。さらに、追加のまたは代わりの例において、電子構成要素１３０４，１３０６，１３０８は、コンピュータ読取可能な媒体を備えるコンピュータ・プログラム製品でありうる。ここで、おのおのの電子構成要素１３０４，１３０６，または１３０８は、対応するコードでありうる。
【００６４】
図１４は、本明細書で示されたさまざまな実施形態にしたがう無線通信システム１４００を例示する。システム１４００は、複数のアンテナ・グループを含みうる基地局１４０２を備える。例えば、１つのアンテナ・グループは、アンテナ１４０４，１４０６を含み、別のグループはアンテナ１４０８，１４１０を備え、さらに別のグループはアンテナ１４１２，１４１４を含みうる。おのおののアンテナ・グループについて２本のアンテナしか例示されていないが、２本より多いアンテナ、または２本より少ないアンテナも、各グループのために利用されうる。基地局１４０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００６５】
基地局１４０２は、例えばモバイル・デバイス１４１６およびモバイル・デバイス１４２２のような１または複数のモバイル・デバイスと通信しうる。しかしながら、基地局１４０２は、モバイル・デバイス１４１６およびモバイル・デバイス１４２２に類似した実質的に任意の数のモバイル・デバイスと通信しうることが理解されるべきである。モバイル・デバイス１４１６，１４２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１４００を介して通信するのに適切なその他任意のデバイスでありうる。図示するように、モバイル・デバイス１４１６は、アンテナ１４１２，アンテナ１１１４と通信している。ここで、アンテナ１４１２，アンテナ１４１４は、順方向リンク１４１８によってモバイル・デバイス１４１６へ情報を送信し、逆方向リンク１４２０によってモバイル・デバイス１４１６から情報を受信する。さらに、モバイル・デバイス１４２２はアンテナ１４０４，１４０６と通信している。ここで、アンテナ１４０４，１４０６は、順方向リンク１４２４でモバイル・デバイス１４２２へ情報を送信し、逆方向リンク１４２６でモバイル・デバイス１４２２から情報を受信する。周波数分割デュプレクス（ＦＤＤ）システムでは、例えば、順方向リンク１４１８は、逆方向リンク１４２０によって使用されるものとは異なる周波数帯域を使用し、順方向リンク１４２４は、逆方向リンク１４２６によって使用されるものとは異なる周波数帯域を使用しうる。さらに、時分割デュプレクス（ＴＤＤ）システムでは、順方向リンク１４１８および逆方向リンク１４２０は、共通の周波数帯域を使用し、順方向リンク１４２４および逆方向リンク１４２６は、共通の周波数帯域を使用しうる。
【００６６】
通信するように指定された領域および／またはアンテナのおのおののグループは、基地局１４０２のセクタと称されうる。例えば、基地局１４０２によってカバーされる領域のセクタ内のアクセス端末に通信するように、複数のアンテナが設計されうる。順方向リンク１４１８，１４２４による通信では、基地局１４０２の送信アンテナは、モバイル・デバイス１４１６，１４２２のための順方向リンク１４１８，１４２４の信号対雑音比を改善するためにビームフォーミングを適用しうる。また、基地局１４０２が、関連付けられた有効通信範囲にランダムに散在したモバイル・デバイス１４１６，１４２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１４１６，１４２２は、図示するように、ピア・トゥ・ピアまたはアド・ホック技術を用いて互いにダイレクトに通信しうる。例によれば、システム１４００は、複数入力複数出力（ＭＩＭＯ）通信システムでありうる。
【００６７】
図１５は、無線通信システム１５００の例を示す。無線通信システム１５００は、簡潔さの目的で、１つの基地局１５１０と１つのモバイル・デバイス１５５０としか示していない。しかしながら、システム１５００は、１より多い基地局、および／または、１より多いモバイル・デバイスを含むことができ、これら追加の基地局および／またはモバイル・デバイスは、以下に説明する基地局１５１０およびモバイル・デバイス１５５０の例と実質的に同じでも、別のものでもありうることが認識されるべきである。さらに、基地局１５１０および／またはモバイル・デバイス１５５０は、無線通信を容易にするために、本明細書に記載されたシステム（図１−２、４−５、および１１−１４）、モバイル・デバイス（図１０）、基地局（図３）、および／または方法（図６−９）を適用しうることが認識されるべきである。例えば、本明細書に記載されたシステムおよび／または方法の構成要素または機能は、以下に説明するようなメモリ１５３２および／またはメモリ１５７２、プロセッサ１５３０および／またはプロセッサ１５７０の一部でありうるか、および／または、開示された機能を実行するためにプロセッサ１５３０および／またはプロセッサ１５７０によって実行されうる。
【００６８】
基地局１５１０では、多くのデータ・ストリームのためのトラフィック・データが、データ・ソース１５１２から送信（ＴＸ）データ・プロセッサ１５１４へ提供される。一例によれば、おのおののデータ・ストリームが、それぞれのアンテナを介して送信される。ＴＸデータ・プロセッサ１５１４は、トラフィック・データ・ストリームをフォーマットし、このデータ・ストリームのために選択された特定の符号化スキームに基づいて符号化し、インタリーブして、符号化されたデータを提供する。
【００６９】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１５５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１５３０によって実行または提供される指示によって決定されうる。
【００７０】
データ・ストリームの変調シンボルは、（例えば、ＯＦＤＭのために）変調シンボルを処理するＴＸ  ＭＩＭＯプロセッサ１５２０に提供される。ＴＸ  ＭＩＭＯプロセッサ１５２０はその後、ＮＴ個の変調シンボル・ストリームをＮＴ個の送信機（ＴＭＴＲ）１５２２ａ乃至１５２２ｔへ提供する。さまざまな実施形態において、ＴＸ  ＭＩＭＯプロセッサ１５２０は、データ・ストリームのシンボル、および、そのシンボルが送信されるアンテナへ、ビームフォーミング重みを適用する。
【００７１】
おのおのの送信機１５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１５２２ａ乃至１５２２ｔからのＮＴ個の変調信号が、ＮＴ個のアンテナ１５２４ａ乃至１５２４ｔからそれぞれ送信される。
【００７２】
モバイル・デバイス１５５０では、送信された変調された信号が、ＮＲ個のアンテナ１５５２ａ乃至１５５２ｒによって受信され、おのおののアンテナ１５５２からの受信された信号が、それぞれの受信機（ＲＣＶＲ）１５５４ａ乃至１５５４ｒへ提供される。おのおのの受信機１５５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７３】
ＲＸデータ・プロセッサ１５６０は、ＮＲ個の受信機１５５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１５６０は、検出されたおのおののシンボル・ストリームを復調し、デインタリーブし、復号して、このデータ・ストリームのためのトラフィック・データを復元する。ＲＸデータ・プロセッサ１５６０による処理は、基地局１５１０におけるＴＸ  ＭＩＭＯプロセッサ１５２０およびＴＸデータ・プロセッサ１５１４によって実行されるものと相補的である。
【００７４】
プロセッサ１５７０は、上述したように、どのプリコーディング行列を使用するのかを定期的に決定する。さらに、プロセッサ１５７０は、行列インデクス部およびランク値部を備えた逆方向リンク・メッセージを規定することができる。
【００７５】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース１５３６から受信するＴＸデータ・プロセッサ１５３８によって処理され、変調器１５８０によって変調され、送信機１５５４ａ乃至１５５４ｒによって調整され、基地局１５１０へ送り戻される。
【００７６】
基地局１５１０では、モバイル・デバイス１５５０からの変調信号が、アンテナ１５２４によって受信され、受信機１５２２によって調整され、復調器１５４０によって復調され、ＲＸデータ・プロセッサ１５４２によって処理されて、モバイル・デバイス１５５０によって送信された逆方向リンク・メッセージが抽出される。さらに、プロセッサ１５３０は、ビームフォーミング重みを決定するためにどのプリコーディング行列を使用するかを決定するために、この抽出されたメッセージを処理する。
【００７７】
プロセッサ１５３０およびプロセッサ１５７０は、基地局１５１０およびモバイル・デバイス１５５０それぞれにおける動作を指示（例えば、制御、調整、管理等）しうる。プロセッサ１５３０およびプロセッサ１５７０はそれぞれ、プログラム・コードおよびデータを格納するメモリ１５３２およびメモリ１５７２に関連付けられうる。プロセッサ１５３０およびプロセッサ１５７０はまた、アップリンクおよびダウンリンクそれぞれのための周波数およびインパルス応答推定値を導出する計算をも実行する。
【００７８】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００７９】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれうる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００８０】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に本願発明の当初の特許請求の範囲に記載された発明を付記する。
［Ｃ１］
共有のスケジューリング要求（ＳＲ）リソースを利用する方法であって、
スケジューリング要求（ＳＲ）を送信することに関連付けられたグループ識別子を、共有のＳＲリソースで受信することと、
前記グループ識別子に関連付けられた共有のＳＲリソースを、イボルブド・ノードＢ（ｅＮＢ）から受信することと、
前記共有のＳＲリソースで前記ＳＲを送信することと、を備える方法。
［Ｃ２］
前記ＳＲに少なくとも部分的に基づいて前記ｅＮＢからアップリンク許可を取得すること、をさらに備えるＣ１に記載の方法。
［Ｃ３］
前記アップリンク許可は、前記グループ識別子に関連付けられている、Ｃ２に記載の方法。
［Ｃ４］
前記グループ識別子を受信することは、コンテンション・ベースのグループ識別子を受信することを備え、
前記共有のＳＲリソースは、コンテンション・ベースのＳＲを可能にする、Ｃ１に記載の方法。
［Ｃ５］
前記ＳＲを送信することに関連する衝突を検出することと、
前記衝突を検出することに少なくとも部分的に基づいて、別のサブフレームにおける別の共有のＳＲリソースで、前記ＳＲを再送信することと、をさらに備えるＣ１に記載の方法。
［Ｃ６］
前記衝突を検出することに少なくとも部分的に基づいて、禁止タイマを設定することと、
前記禁止タイマにしたがって、前記再送信するための別のサブフレームにおける別の共有のＳＲリソースを選択することと、をさらに備えるＣ５に記載の方法。
［Ｃ７］
前記禁止タイマを設定するための値を、前記ｅＮＢから受信すること、をさらに備えるＣ６に記載の方法。
［Ｃ８］
前記衝突を検出することは、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信すること、のうちの少なくとも１つを含む、Ｃ５に記載の方法。
［Ｃ９］
前記グループ識別子を受信することは、複数のＵＥに関連付けられたグループ識別子を受信することを備える、Ｃ１に記載の方法。
［Ｃ１０］
前記複数のＵＥは、類似のチャネル条件またはサービス品質要件を有する、Ｃ９に記載の方法。
［Ｃ１１］
共有のスケジューリング要求（ＳＲ）リソースを利用する装置であって、
スケジューリング要求（ＳＲ）を送信することに関連付けられたグループ識別子を、共有のＳＲリソースで取得し、
前記グループ識別子に関連付けられた共有のＳＲリソースを、イボルブド・ノードＢ（ｅＮＢ）から取得し、
前記共有のＳＲリソースで前記ＳＲを送信するように構成された少なくとも１つのプロセッサと、
前記少なくとも１つのプロセッサに接続されたメモリと、を備える装置。
［Ｃ１２］
前記少なくとも１つのプロセッサはさらに、前記ＳＲに少なくとも部分的に基づいて前記ｅＮＢからアップリンク許可を受信するように構成された、Ｃ１１に記載の装置。
［Ｃ１３］
前記グループ識別子は、コンテンション・ベースのグループ識別子であり、前記共有のＳＲリソースは、コンテンション・ベースのＳＲを可能にする、Ｃ１１に記載の装置。
［Ｃ１４］
前記少なくとも１つのプロセッサはさらに、前記ＳＲを送信することに関連する衝突を検出し、前記衝突に少なくとも部分的に基づいて、別のサブフレームにおける別の共有のＳＲリソースで、前記ＳＲを再送信するように構成された、Ｃ１１に記載の装置。
［Ｃ１５］
前記少なくとも１つのプロセッサはさらに、
前記衝突に少なくとも部分的に基づいて禁止タイマを設定し、
前記禁止タイマにしたがって、前記別のサブフレームにおける別の共有のＳＲリソースを選択するように構成された、Ｃ１４に記載の装置。
［Ｃ１６］
前記少なくとも１つのプロセッサはさらに、前記禁止タイマを設定するための値を、前記ｅＮＢから受信するように構成された、Ｃ１５に記載の装置。
［Ｃ１７］
前記少なくとも１つのプロセッサは、少なくとも部分的に、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信することによって、前記衝突を検出する、Ｃ１４に記載の装置。
［Ｃ１８］
前記グループ識別子は、少なくとも１つの類似の特性を有する複数のＵＥに付けられている、Ｃ１１に記載の装置。
［Ｃ１９］
共有のスケジューリング要求（ＳＲ）リソースを利用する装置であって、
共有のＳＲリソースでＳＲを送信することに関連付けられたグループ識別子を受信する手段と、
前記グループ識別子に関連付けられた共有のＳＲリソースをｅＮＢから受信する手段と、
前記共有のＳＲリソースで前記ＳＲを送信する手段と、を備える装置。
［Ｃ２０］
前記ＳＲに少なくとも部分的に基づいてアップリンク許可を受信する手段をさらに備える、Ｃ１９に記載の装置。
［Ｃ２１］
前記グループ識別子は、コンテンション・ベースのグループ識別子であり、前記共有のＳＲリソースは、コンテンション・ベースのＳＲを可能にする、Ｃ１９に記載の装置。
［Ｃ２２］
前記ＳＲを送信することに関連する衝突を検出する手段と、
前記衝突に少なくとも部分的に基づいて、別のサブフレームにおける別の共有のＳＲリソースで、前記ＳＲを再送信する手段と、をさらに備えるＣ１９に記載の装置。
［Ｃ２３］
前記再送信する手段はさらに、前記衝突を検出することに少なくとも部分的に基づいて、禁止タイマを設定し、前記禁止タイマにしたがって、前記別のサブフレームにおける別の共有のＳＲリソースを選択する、Ｃ２２に記載の装置。
［Ｃ２４］
前記禁止タイマが前記ｅＮＢから受信される、Ｃ２３に記載の装置。
［Ｃ２５］
前記衝突を検出する手段は、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信すること、のうちの少なくとも１つに少なくとも部分的に基づいて前記衝突を検出する、Ｃ２２に記載の装置。
［Ｃ２６］
前記グループ識別子は、複数のＵＥに関連付けられている、Ｃ１９に記載の装置。
［Ｃ２７］
前記複数のＵＥは、類似のチャネル条件またはサービス品質要件を有する、Ｃ２６に記載の装置。
［Ｃ２８］
共有のスケジューリング要求（ＳＲ）リソースを利用するためのコンピュータ・プログラム製品であって、
少なくとも１つのコンピュータに対して、スケジューリング要求（ＳＲ）を送信することに関連付けられたグループ識別子を、共有のＳＲリソースで取得させるためのコードと、
前記少なくとも１つのコンピュータに対して、前記グループ識別子に関連付けられた共有のＳＲリソースを、イボルブド・ノードＢ（ｅＮＢ）から取得させるためのコードと、
前記少なくとも１つのコンピュータに対して、前記共有のＳＲリソースで前記ＳＲを送信させるためのコードと、を備えるコンピュータ読取可能な媒体を備える、コンピュータ・プログラム製品。
［Ｃ２９］
前記コンピュータ読取可能な媒体はさらに、前記少なくとも１つのコンピュータに対して、前記ＳＲに少なくとも部分的に基づいて前記ｅＮＢからアップリンク許可を受信させるためのコードを備える、Ｃ２８に記載のコンピュータ・プログラム製品。
［Ｃ３０］
前記グループ識別子は、コンテンション・ベースのグループ識別子であり、前記共有のＳＲリソースは、コンテンション・ベースのＳＲを可能にする、Ｃ２８に記載のコンピュータ・プログラム製品。
［Ｃ３１］
前記コンピュータ読取可能な媒体はさらに、
前記少なくとも１つのコンピュータに対して、前記ＳＲを送信することに関連する衝突を検出させるためのコードと、
前記少なくとも１つのコンピュータに対して、前記衝突に少なくとも部分的に基づいて、別のサブフレームにおける別の共有のＳＲリソースで、前記ＳＲを再送信させるためのコードとを備える、Ｃ２８に記載のコンピュータ・プログラム製品。
［Ｃ３２］
前記コンピュータ読取可能な媒体はさらに、
前記少なくとも１つのコンピュータに対して、前記衝突に少なくとも部分的に基づいて、禁止タイマを設定させるためのコードと、
前記少なくとも１つのコンピュータに対して、前記禁止タイマにしたがって、前記別のサブフレームにおける別の共有のＳＲリソースを選択させるためのコードとを備える、Ｃ３１に記載のコンピュータ・プログラム製品。
［Ｃ３３］
前記コンピュータ読取可能な媒体はさらに、
前記少なくとも１つのコンピュータに対して、前記禁止タイマを設定するための値を、前記ｅＮＢから受信させるためのコードを備える、Ｃ３２に記載のコンピュータ・プログラム製品。
［Ｃ３４］
前記少なくとも１つのコンピュータに対して、前記衝突を検出させるためのコードは、少なくとも部分的に、前記ｅＮＢからエラーを受信すること、指定された期間後、前記ｅＮＢからアップリンク許可が受信されないと判定すること、前記ｅＮＢから、衝突を示す明示的なインジケーションを受信すること、または、前記ｅＮＢから、前記ＳＲに関連する再送信要求を受信することによって、前記衝突を検出する、Ｃ３１に記載のコンピュータ・プログラム製品。
［Ｃ３５］
前記グループ識別子は、少なくとも１つの類似の特性を有する複数のＵＥに関連付けられている、Ｃ２８に記載のコンピュータ・プログラム製品。
［Ｃ３６］
共有のスケジューリング要求（ＳＲ）リソースを提供する方法であって、
複数のユーザ機器（ＵＥ）からなる少なくとも１つのグループのグループ識別子に関連付けられた共有のスケジューリング要求（ＳＲ）リソースを示すことと、
前記共有のＳＲリソースで、ＵＥからＳＲを受信することと、
前記ＳＲに少なくとも部分的に基づいて、前記ＵＥにアップリンク許可を送信することと、を備える方法。
［Ｃ３７］
前記複数のＵＥからなる少なくとも１つのグループのために共通のＳＲリソースを関連付けるために、前記複数のＵＥからなる少なくとも１つのグループへ、複数のＵＥをグループ化することと、
前記複数のＵＥからなる少なくとも１つのグループのグループ識別子を、前記ＵＥへ送信することと、ここで、前記ＵＥは、前記複数のＵＥからなる少なくとも１つのグループにある、をさらに備えるＣ３６に記載の方法。
［Ｃ３８］
前記共有のＳＲリソースで、別のＵＥから別のＳＲを受信することと、
前記ＵＥおよび前記別のＵＥへ衝突を示すことと、をさらに備えるＣ３６に記載の方法。
［Ｃ３９］
共有のスケジューリング要求（ＳＲ）リソースを提供する装置であって、
複数のユーザ機器（ＵＥ）からなる少なくとも１つのグループのグループ識別子に関連付けられた共有のＳＲリソースを指定し、
前記共有のＳＲリソースで、ＵＥからＳＲを取得し、
前記ＳＲに少なくとも部分的に基づいて、前記ＵＥにアップリンク許可を提供する、ように構成された少なくとも１つのプロセッサと、
前記少なくとも１つのプロセッサに接続されたメモリと、を備える装置。
［Ｃ４０］
前記少なくとも１つのプロセッサはさらに、
前記複数のＵＥからなる少なくとも１つのグループのために共通のＳＲリソースを関連付けるために、前記複数のＵＥからなる少なくとも１つのグループへ、複数のＵＥをグループ化し、
前記複数のＵＥからなる少なくとも１つのグループのグループ識別子を、前記ＵＥへ送信するように構成され、
前記ＵＥは、前記複数のＵＥからなる少なくとも１つのグループにある、Ｃ３９に記載の装置。
［Ｃ４１］
前記少なくとも１つのプロセッサはさらに、前記共有のＳＲリソースで、別のＵＥから別のＳＲを取得し、前記ＵＥおよび前記別のＵＥへ衝突を示すように構成された、Ｃ３９に記載の装置。
［Ｃ４２］
共有のスケジューリング要求（ＳＲ）リソースを提供する装置であって、
複数のユーザ機器（ＵＥ）からなる少なくとも１つのグループのグループ識別子に関連付けられた共有のＳＲリソースを示す手段と、
前記共有のＳＲリソースで、ＵＥからＳＲを受信する手段と、
前記ＳＲに少なくとも部分的に基づいて、前記ＵＥにアップリンク許可を送信する手段と、を備える装置。
［Ｃ４３］
前記複数のＵＥからなる少なくとも１つのグループのために共通のＳＲリソースを関連付けるために、前記複数のＵＥからなる少なくとも１つのグループへ、複数のＵＥをグループ化する手段をさらに備え、
前記示す手段はさらに、前記複数のＵＥからなる少なくとも１つのグループのグループ識別子を、前記ＵＥへ示し、
前記ＵＥは、前記複数のＵＥからなる少なくとも１つのグループにある、Ｃ４２に記載の装置。
［Ｃ４４］
前記ＵＥへ衝突を示す手段をさらに備え、
前記受信する手段は、前記共有のＳＲリソースで、別のＵＥから別のＳＲを受信する、Ｃ４２に記載の装置。
［Ｃ４５］
共有のスケジューリング要求（ＳＲ）リソースを提供するためのコンピュータ・プログラム製品であって、
少なくとも１つのコンピュータに対して、複数のユーザ機器（ＵＥ）からなる少なくとも１つのグループのグループ識別子に関連付けられた共有のＳＲリソースを指定させるためのコードと、
前記少なくとも１つのコンピュータに対して、前記共有のＳＲリソースで、ＵＥからＳＲを取得させるためのコードと、
前記少なくとも１つのコンピュータに対して、前記ＳＲに少なくとも部分的に基づいて前記ＵＥにアップリンク許可を提供させるためのコードと、を備えるコンピュータ読取可能な媒体を備える、コンピュータ・プログラム製品。
［Ｃ４６］
前記コンピュータ読取可能な媒体はさらに、
前記少なくとも１つのコンピュータに対して、前記複数のＵＥからなる少なくとも１つのグループのために共通のＳＲリソースを関連付けるために、前記複数のＵＥからなる少なくとも１つのグループへ、複数のＵＥをグループ化させるためのコードと、
前記少なくとも１つのコンピュータに対して、前記複数のＵＥからなる少なくとも１つのグループのグループ識別子を、前記ＵＥへ送信させるためのコードとを備え、
前記ＵＥは、前記複数のＵＥからなる少なくとも１つのグループにある、Ｃ４５に記載のコンピュータ・プログラム製品。
［Ｃ４７］
前記コンピュータ読取可能な媒体はさらに、
前記少なくとも１つのコンピュータに対して、前記共有のＳＲリソースで、別のＵＥから別のＳＲを受信させるためのコードと、
前記少なくとも１つのコンピュータに対して、前記ＵＥおよび前記別のＵＥへ衝突を示させるためのコードとを備える、Ｃ４５に記載のコンピュータ・プログラム製品。
【図１】
0005619915.tif 000002
【図２】
0005619915.tif 000003
【図３】
0005619915.tif 000004
【図４】
0005619915.tif 000005
【図５】
0005619915.tif 000006
【図６】
0005619915.tif 000007
【図７】
0005619915.tif 000008
【図８】
0005619915.tif 000009
【図９】
0005619915.tif 000010
【図１０】
0005619915.tif 000011
【図１１】
0005619915.tif 000012
【図１２】
0005619915.tif 000013
【図１３】
0005619915.tif 000014
【図１４】
0005619915.tif 000015
【図１５】
0005619915.tif 000016